(57)【要約】      （修正有）【課題】薄膜でありながら曇りにくく、付着防止特性を有し、着脱の際に汚損を招く可能性が低く、幅広い物品に対して防汚膜として使用できる高分子膜を提供する。【解決手段】基板に付着する高分子膜であって、膜厚が５０ｎｍ以上７０μｍ以下であり、かつ、Ｈａｚｅが９以下であり、潤滑液が表面に固定される。薄膜でありながら曇りにくく、付着防止特性を有し、着脱の際に汚損を招く可能性が低く、幅広い物品に対して防汚膜として使用できる。【選択図】図１
0003231960.tif 000002
【実用新案登録請求の範囲】
【請求項１】
基板に付着する高分子膜であって、膜厚が50nm以上70μm以下であり、かつ、Hazeが9以下である、潤滑液が表面に固定された高分子膜。
【請求項２】
さらに平均直径が50μm以下の孔を1つ以上有する請求項１に記載の高分子膜。
【請求項３】
自立高分子膜である請求項１又は２に記載の高分子膜。
【請求項４】
転写可能である請求項１〜３のいずれかに記載の高分子膜。
【請求項５】
防汚膜として用いられる請求項１〜４のいずれかに記載の高分子膜。
【請求項６】
基板に付着した請求項１〜５のいずれかに記載の高分子膜。
【請求項７】
穴のあいた基板に付着した請求項１〜６のいずれかに記載の高分子膜。
【考案の詳細な説明】
【技術分野】
【０００１】
本考案は基板に付着する高分子膜に関する。
【背景技術】
【０００２】
近年、有害なウイルスや微生物による感染症の拡大により、マスク、ゴーグル、フェイスシールド等の着用が必要となる場面が増加し、これらに飛沫が付着することによる汚染や良好な視野の確保の為の対策等が求められている。
日常生活においても、テレビのリモコン、タッチパネルやキーボード等、操作にあたり接触を必須とするものが多く取り入られており、エレベーターのボタン、照明のスイッチ、階段やエスカレータの手摺り、吊り革、買い物かごやカート、食品パッケージ、病院の設備、施設、医療器具等、不特定多数の人々が共用し、接触して使用するものも多数存在する。
これらの汚損や、有害なウイルスや微生物の接触による媒介を避けるために、こまめな掃除や消毒が行われているが十分な対応が取られているとはいえず、これらの物品の接触箇所に透明や半透明のシールを貼付ける等の措置もとられているが、剥がした際に糊が残り、かえって汚損する等の問題もあった。
そこで、本考案において、着脱の際に汚損を招く可能性が低く、幅広い物品に対して防汚膜として使用できる高分子膜の提供を試みた。
【考案の概要】
【考案が解決しようとする課題】
【０００３】
本考案は薄膜でありながら曇りにくく、付着防止特性を有し、着脱の際に汚損を招く可能性が低く、幅広い物品に対して防汚膜として使用できる高分子膜を提供することを課題とする。
【課題を解決するための手段】
【０００４】
上記課題を解決するため、本考案の高分子膜は、図１に示すように基板に付着する高分子膜であって、膜厚が50nm以上70μm以下であり、かつ、Hazeが9以下である、潤滑液が表面に固定されていることを特徴とする。
【考案の効果】
【０００５】
本考案により薄膜でありながら曇りにくく、付着防止特性を有し、着脱の際に汚損を招く可能性が低く、幅広い物品に対して防汚膜として使用できる高分子膜の提供が可能となった。
本考案の高分子膜は、マスク、ゴーグル、フェイスシールド等の衛生用品・衛生医療品や、エレベーターのボタン、照明のスイッチ、階段やエスカレータの手摺り、食品パッケージ、病院の設備、施設、医療器具等の物品を基板とし、これらに付着させることで、これらの防汚、有害なウイルスや微生物の媒介等の抑制に活用できる。
【図面の簡単な説明】
【０００６】
【図１】基板に付着した高分子膜の模式図である。
【図２】Ａ：基板、Ｂ：基板に付着した高分子膜の写真をそれぞれ示した図である。
【図３】水滴滑落性能の差（Ａ：ガラス板（基板）、Ｂ：高分子膜）を示した図である。
【図４】Ａ：穴の開いた基板の模式図であり、Ｂ：これを写真で示した図である。
【図５】高分子膜A1〜A6が、平均直径が50μm以下の孔を1つ以上有する高分子膜であることを示した図である。
【図６】Ａ：高分子膜Bが、平均直径が50μm以下の孔を1つ以上有する高分子膜であること、Ｂ：高分子膜Bの膜厚が50nm以上70μm以下であることを写真で示した図である。
【図７】高分子膜A5及びA6が自立高分子膜であることを示した図である。
【考案を実施するための形態】
【０００７】
本考案の「高分子膜」が付着する「基板」はポリプロピレン（PP）、ポリテトラフルオロエチレン樹脂（PTFE）、塩化ビニル樹脂（PVC）、ポリエチレン（PE）、ポリスチレン（PS）、AS樹脂、ABS樹脂、メタクリル樹脂（PMMA）、ポリアミドイミド（PAI）、ポリアセタール（POM）、ポリカーボネート(PC)、ポリブチレンフタレート樹脂(PBT)、メラミン樹脂(MF)、エポキシ樹脂(EP)、ポリベンゾイミダゾール樹脂(PBI)、フェノール樹脂（PF）、ポリエーテルエーテルケトン（PEEK）、ポリサルフォン（PSF）、ポリエーテルサルフォン（PES）、ポリフェニレンスルファイド（PPS）又はポリアリレート（PAR）等のプラスチックや、ガラス、木材、合板、金属、紙、ゴム、エラストマー、ゾル、ゲル又は布等の加工品を素材とする基板等が使用できる。
【０００８】
基板は本考案の「高分子膜」が付着できる形状であればよく、形状を問わない。
このような基板として例えば、板状等の平面の形状のもの、球状、楕円状、ラグビーボール状等の球体、立方体、直方体、円柱、三角柱、多面体等の立体的な形状のもの等が使用できる。また、図４に示されるように、基板上に目視できる大きさの１つ以上の穴を有するものであっても良い。
また、基板表面の微細な凹凸やテクスチャ等の表面性状も問わない。本考案の高分子膜は飲食品や薬剤等の液状、ゲル状、ゾル状等の特定の形状を持たないものや、硬度測定不能な非常に柔らかい物品、衣服やマスクに代表される織物、又は敷布に対しても付着できるため、これらの形状からなる物質も基板として使用できる。
物品としては、例えば、マスク、ゴーグル、フェイスシールド等の衛生用品・衛生医療品、テレビのリモコン、タッチパネル、キーボード、エレベーターのボタン、照明のスイッチ、階段やエスカレータの手摺り、ドアの取っ手、食品パッケージ、病院の設備、施設、吊り革、買い物かごやカート、カメラのレンズ、内視鏡のレンズ、センサーの表面、容器の内壁、スマートホン等のカバー表面、コンソール表面、スイッチやボリューム・つまみ、パッケージ等の表面、一般的な住宅・施設に設置される水栓、鏡、窓、内壁、浴槽、洗面台、調理器具、家具・家電、おもちゃ、衣類、分析・解析・観察・実験・試験等に使用される試料台やサンプル台・試験片の固定具の表面、又は医療機器の表面等も基板として使用できる。
【０００９】
本考案の高分子膜は、ポリフッ化ビニリデン(PVDF)、 ポリ(ビニリデンフルオリド-co-ヘキサフルオロプロピレン)（PVDF-FFP）等の親油性高分子であればよく、これらを二種類以上組み合わせてもよい。さらに、フタル酸ブチル（DBP）等の親油性添加物を加えても良く、親油性添加物も複数組み合わせて用いることができる。
本考案の高分子膜はこれらの「親油性高分子」と、アセトン、エタノール、NMP（N-メチルピロリドン）、DMF（ジメチルホルムアミド）、DMA（ジメチルアセトアミド）、 DMSO（ジメチルスルホキシド）、酢酸ブチル、シクロヘキサン、ジオキサン、2-ブタノン、ジメチルアミン又はトリメチルアミン等の「可溶性溶媒」及びシリコーンオイル等の「潤滑液」を使用して製造される。
【００１０】
ここで「潤滑液」としては、油性液体を使用した場合、主として水性の外部液体に対する防汚性（滑水性）を示し、反対に水性液体を使用した場合、主として油性の外部液体に対する防汚性（滑油性）を示す。あらゆる種類の液体に対して防汚性を発揮するためには、滑剤液としては、フッ素系油又はシリコーン油といった、いわゆる撥水・撥油性液体を使用することが好ましい。これらには、例えば、パーフルオロポリエーテル、パーフルオロアルキルエーテル、パーフルオロシクロエーテル、パーフルオロアルキルアミン、パーフルオロアルキルスルフィド、パーフルオロアルキルスルフォキシド、パーフルオロアルキルホスフィン、パーフルオロカーボン、パーフルオロカルボン酸、フッ素化ホスホン酸、フッ素化スルホン酸、フッ素化シラン等のフッ素系油、ジメチルポリシロキサン、メチルフェニルポリシロキサン、メチルハイドロジェンポリシロキサン、オクタメチルシクロテトラシロキサン、デカメチルシクロペンタシロキサン、ドデカメチルシクロヘキサシロキサン、アミノ変性シリコーン油、ポリエーテル変性シリコーン油、カルボキシ変性シリコーン油、アルキル変性シリコーン油、アンモニウム塩変性シリコーン油、フッ素変性シリコーン油等のシリコーン油等も挙げられる。これらの潤滑液は市販のものを用いてもよく、独自に調製したものを用いても良い。
【００１１】
滑液対象が水性液体の場合、シリコーンオイルや脂肪酸、高級アルコール、シランカップラー、そのほかに有機系の疎水性液体物質が挙げられる。より具体的には、シリコーンオイルとしてデカメチルシクロテトラシロキサン、オクタメチルシクロテトラシロキサン、ドデカメチルシクロヘキサシロキサン、メチルシリコーン、メチルフェニルシリコーン、メチルヒドロキシシリコーン、アミノ変性シリコーンオイル、エポキシ変性シリコーンオイル、カルボキシ変性シリコーンオイル、カルビノール変性シリコーンオイル、メタクリル変性シリコーンオイル、メルカプト変性シリコーンオイル、フェノール変性シリコーンオイル、ポリエーテル変性シリコーンオイル、メチルスチリル変性シリコーンオイル、アルキル変性シリコーンオイル、脂肪酸エステル変性シリコーンオイル、部分フッ素変性シリコーンオイル等が例示され、更に低級飽和脂肪酸、高級飽和脂肪酸、低級不飽和脂肪酸、高級不飽和脂肪酸、高級アルコール、及び脂肪酸化合物（ごま油、菜種油、アーモンドオイル、綿実油、サラダ油等）、フルオロアルキルエトキシシラン、フルオロアルキルメトキシシラン、アルキルエトキシシラン、アルキルメトキシシラン、DB2-EOS、EF-DB2、P3-EOS、また揮発性の小さい炭化水素(CnHx(n>4 以上)のアルカン、アルケン、アルキン）も用い得る。
医療用途や食品関連に用いる場合は、特に油の中でも、食品添加物用途等生体安全性の高い油を使用するのが好ましい。
【００１２】
PVDF、DMSO及びシリコーンを用いた本考案の高分子膜A1〜A6は、表１に示されるように、膜厚(平均)が50nm以上70μm以下であり、かつ、Hazeが9以下である。そして、表１及び図５に示されるように、平均直径が50μm以下の孔を１つ以上有する高分子膜である。さらに、表１に示されるように強度の強い高分子膜である。また、PVDF-FFP、DBP、アセトン及びシリコーンを用いた本考案の高分子膜Bも高分子膜A1〜A6と同様の性質を有する高分子膜であった。
【００１３】
【表１】
0003231960.tif 000003
【００１４】
図７に示されるように、本考案の高分子膜は製造において支持体の表面上に形成された後、支持体からはがされた状態や、基板に付着していない状態でも、自立した膜として存在し得る「自立高分子膜」である。
「自立高分子膜」とは、製造においてガラス平板等の支持体の表面上に形成した後、これを支持体からはがした場合でも、引きはがしによって破損することなく、自立した膜として存在し得る膜のことをいう。
「自立高分子膜」である本考案の高分子膜は、使用するまでに潤滑液等に浸漬した状態で保管でき、そのまま様々な物品の防汚フィルムや防汚シート等として適用することができる。このような「自立高分子膜」である本考案の高分子膜は、基板に付着させるまでに潤滑液等に浸漬した状態で保管できる。
【００１５】
さらに本考案の高分子膜は、使用対象となる物品（基板）に接触させることで容易に付着することができる「転写可能」な高分子膜である。
本考案の高分子膜は「転写可能」であることから、例えば、カメラのレンズを使用対象とする場合、そのレンズに接触させるだけで、レンズの表面に付着させることができ、防汚性等の特性を容易に付与することができる。
【００１６】
以下、実施例を示して本考案を詳細に説明するが、本考案はこれらに限られるものではない。
【実施例】
【００１７】
図１は、本考案に係る基板に付着する高分子膜であって、膜厚が50nm以上70μm以下であり、かつ、Hazeが9以下である、潤滑液が表面に固定された高分子膜の模式図であり、図２Ａは基板、図２Ｂは基板に付着した高分子膜を写真で示した図である。透明な部分が基板に該当し、半透明な部分が高分子膜に該当する。
また、図３はガラス板を基板とした際の基板部分（上部）と高分子膜が基板に付着した部分（下部）において、ガラス板上と高分子膜が付着した部分の水滴滑落性能の差を示した図である。図３Ａのガラス板上では水滴を滴下後、１秒後においても水滴が滑落することはなかったが、図３Ｂの高分子膜が付着した部分では、水滴を滴下後、直ちに水滴が滑落した。
【００１８】
図４Ａは穴の開いた基板の模式図であり、図４Ｂはこれを写真で示した図である。また、図５は本考案の高分子膜A1〜A6が、図６Ａは本考案の高分子膜Bが、平均直径が50μm以下の孔を1つ以上有する高分子膜であること、図６Ｂは本考案の高分子膜Bの膜厚が50nm以上70μm以下であることを示した図である。
さらに、図７は、支持体の表面上に形成した後、これを支持体からはがし、また高分子膜が基板に付着していない状態でも、自立した膜として存在し得る「自立高分子膜」であることを写真で示した図である。
【００１９】
これらの図から示されるように、本考案の高分子膜は基板に付着する高分子膜であって、膜厚が50nm以上70μm以下であり、かつ、Hazeが9以下である、潤滑液が表面に固定された高分子膜であった。
【産業上の利用可能性】
【００２０】
本考案の高分子膜は、マスク、ゴーグル、フェイスシールド等の衛生用品・衛生医療品や、エレベーターのボタン、照明のスイッチ、階段やエスカレータの手摺り、食品パッケージ、病院の設備、施設、医療器具等を基板として付着させることにより、これらの防汚や有害なウイルスや微生物の媒介等の抑制に活用できる。
【図１】
0003231960.tif 000004
【図２】
0003231960.tif 000005
【図３】
0003231960.tif 000006
【図４】
0003231960.tif 000007
【図５】
0003231960.tif 000008
【図６】
0003231960.tif 000009
【図７】
0003231960.tif 000010